(57)【特許請求の範囲】
【請求項１】
把持筒とその内部に設けられている印判本体の下方部との間に復帰ばねの弾発力によって下端開口が常時は印判本体の多孔性印字部の印面より下方に位置する昇降動自在なスライドカバを介在させた印判において、前記復帰ばねが印判本体に形成されている外鍔とスライドカバ間に介在されてスライドカバと印判本体の双方の復帰に兼用できるものとされており、前記した印判本体が復帰ばねの弾発力により把持筒内において、該把持筒とは独立に昇降動自在とされるとともにその一部が外部操作で下押可能とされており、且つ、この印判本体の多孔性印字部の印面がスライドカバの下端開口より下方位置まで下押されて捺印位置を目視して位置決め可能な繰出位置において印判本体の昇降動をロックするロック機構が設けられていることを特徴とする印判。
【請求項２】
把持筒の上端側部が切欠開口とされていてこの切欠開口を通じて印判本体の一部を外部操作で下押可能としてある請求項１に記載の印判。
【請求項３】
スライドカバの先端を先細としてある請求項１または２に記載の印判。
【発明の詳細な説明】
【技術分野】
【０００１】
本発明は被捺印部材の所定の位置に正確に捺印を行うことができる多孔性印材を用いた印判に関するものである。
【背景技術】
【０００２】
上記のような印判としては、不使用時に印面が露呈されて他物を汚さないようにするため、把持筒内に装着した印判本体の印字部の周囲を印判本体と把持筒との間に昇降動自在に介在させたスライドカバで覆ったり、印判本体の印字部を開閉自在な蓋で覆うようにしたものが一般的であり、例えば、特許文献１には、ロック機構を解除すると捺印操作により内筒が後退するとともに蓋の開放が行なわれて印面が被捺印面に接触して捺印を行えるようにした開閉式の蓋付き印鑑が記載されている。
【０００３】
しかしながら、特許文献１の開閉式の蓋付き印鑑は、捺印操作を行って蓋が開かれるとともにスライドカバが後退しても、印判体の印字部がスライドカバの先端より突出しないために捺印者が印面位置の正確な確認をできず、このため、被捺印部材の所定の位置に正確に捺印を行うのが難しいという問題がある。
【先行技術文献】
【特許文献】
【０００４】
【特許文献１】特許第３８６４０１０号公報
【発明の概要】
【発明が解決しようとする課題】
【０００５】
本発明は、通常のこの種の印判と同様の捺印を行なえることは勿論のこと、捺印者が印面位置の正確な確認をできて限定された位置に精度の高い捺印を行なうことのできる多孔性印材を用いた印判を目的とするものである。
【課題を解決するための手段】
【０００６】
前記のような課題を解決した本発明の印判は、把持筒とその内部に設けられている印判本体の下方部との間に復帰ばねの弾発力によって下端開口が常時は印判本体の多孔性印字部の印面より下方に位置する昇降動自在なスライドカバを介在させた印判において、前記復帰ばねが印判本体に形成されている外鍔とスライドカバ間に介在されてスライドカバと印判本体の双方の復帰に兼用できるものとされており、前記した印判本体が復帰ばねの弾発力により把持筒内において、該把持筒とは独立に昇降動自在とされるとともにその一部が外部操作で下押可能とされており、且つ、この印判本体の多孔性印字部の印面がスライドカバの下端開口より下方位置まで下押されて捺印位置を目視して位置決め可能な繰出位置において印判本体の昇降動をロックするロック機構が設けられていることを特徴とするものである。
【０００７】
なお、印判本体は、その一部が外部操作で下押可能なものとするためには、把持筒の頂部を開口として印判本体の頂頭部を把持筒の頂部の開口よりノックできるようにするほか、把持筒の胴壁に縦溝を設けてこれより印判本体に設けた操作用突子を介入させるようにするなど他の手段であってもよく、また、スライドカバの先端は先細としておくことが好ましい。
【発明の効果】
【０００８】
本発明は前記したように、把持筒とその内部に装着される印判本体の下方部との間に復帰ばねの弾発力により下端開口が常時は印判本体の多孔性印字部の印面より下方に位置するが捺印操作により下端開口が多孔性印字部の印面と一致する昇降動自在なスライドカバを介在させた印判であるから、常時は印面が印判本体の印字部の周囲を覆うように把持筒との間に介在されているスライドカバーにより外部に露呈されて他物を汚すことがないうえ、通常の捺印は従来のこの種の印判と同様スライドカバーを被捺印面の捺印したい箇所に当てて把持筒を下押す通常の捺印操作を行なえばよいが、本発明では、印判本体が復帰ばねの弾発力により把持筒内において昇降動自在とされるとともにその一部が外部より下押可能に露呈されており、且つ、この印判本体の多孔性印字部の印面がスライドカバの下端開口より下方位置まで下押された繰出位置で印判本体の昇降動をロックするロック機構が設けられているから、下記するような簡単な操作で印面が露出した状態を保持して限定された位置に行う精度の高い捺印を行なうことができる。
【０００９】
すなわち、被捺印部材の限定された位置に精度の高い捺印を行いたいときには、先ず、把持筒を把持してこの一部が外部より下押可能に露呈されている印判本体を下押して多孔性印字部の印面がスライドカバの下端開口より下方位置に繰出すと、印面がスライドカバの下端開口より下方位置まで下押された位置で印判本体の昇降動を止めるように設けられているロック機構が働いてロックされ、印判本体の印面は把持筒やスライドカバの下端より下方に露呈された状態を保持するから、この状態で被捺印部材の捺印したい箇所に正確な位置決めを行なって捺印を行うことができ、この間印判本体は把持筒やスライドカバに対して昇降動されないように保持されているので、多孔性印字部の印面により的確な印字が行なわれることとなる。そして、捺印後はロック機構による前記したロックを解けば、印判本体とスライドカバが復帰ばねの復元力で下降して印判本体の印字部の周囲をスライドカバーが覆うこととなり、印面が外部に露呈されて他物を汚すことのない通常の状態に復帰することとなる。このようにスライドカバの下端を捺印面に当接させてスライドカバ越しに行う位置精度の低い通常捺印と、印面をスライドカバの下端より突出させて捺印位置を目視して位置決めをする位置精度の高い位置決め捺印とに簡単な操作で切り替えて行うことができることとなって２種類の印判を用意する必要がない。
【００１０】
さらに、請求項１のように、復帰ばねを昇降動自在なスライドカバと印判本体の双方に兼用できるものとしておけば、１種の復帰ばねでよいので組み立ても容易なうえにコストダウンを図ることができ、また、請求項２のように、印判本体の一部が外部操作で下押可能なものとするために、把持筒の上端側部をノック部操作用の切欠開口とされていてこの切欠開口を通じて印判本体の一部を外部操作で下押可能としたものは、部品点数が少なくて済む簡単な厚生とすることができるうえに、スライドカバを被捺印面の捺印したい箇所に当てて把持筒を下押す通常の捺印操作を行なうときに、帽状ホルタが誤って下押される不具合が軽減されて印面に不要な力がかかり難くなり鮮明な捺印印影を得るうえにも有効であり、さらに、請求項３のように、スライドカバの先端を先細としたものは、捺印面がスライドカバに邪魔され難くなって目視が容易になるので、より的確に位置決め捺印ができることとなる。
【図面の簡単な説明】
【００１１】
【図１】本発明の印判本体を繰出した状態を示す側面図である。
【図２】同じく平面図である。
【図３】同じく斜視図である。
【図４】同じく斜視図である。
【図５】図２のＡ−Ａ断面図である。
【図６】図２のＢ−Ｂ断面図である。
【図７】印判本体の通常状態を示す一部切欠斜視図である。
【図８】通常捺印時を示す一部切欠斜視図である。
【発明を実施するための形態】
【００１２】
次に、本発明の好ましい実施形態を図１〜８に基づいて詳細に説明する。
１は印判であって、この印判１は把持筒２と、スライドカバ３と、カートリッジ式の印判本体４と、この印判本体４とスライドカバ３の双方を復帰スライドさせる１個の復帰ばね５と、この印判本体４の多孔性印字部の印面がスライドカバ３の下端開口より下方位置まで下押された位置で印判本体の昇降動を止めるロック機構６とからなる。
前記した印判本体４は、図５，６に示されるように、頭頂部が下押用のノック部に形成された帽状体の内頂面に連繋筒部を続かせた二重構造のホルダ部材４ａの下部にこれよりやや細径の帽状の受筒部４ｂをを続かせてその内部に印字カートリッジ７を装着したものであり、また、前記した把持筒２の先方部と印字カートリッジ７との間にはスライドカバ３が昇降動自在に嵌着されるとともに、印判本体４も把持筒２の内部で昇降動自在なものとしてある。
【００１３】
前記把持筒２は、図５，６に示されるように、下方部内面にスライドカバ３を係止する段部２１ａを形成した下部筒体２１の上部にノック部操作用の切欠開口２２が側部に形成された上部筒体２３を続かせたもので、下部筒体２１と上部筒体２３とは図６に示されるように、下部筒体２１の上端内面に形成された係止凸部２１ｂと、上部筒体２３に形成された係合用凹部２３ａとを係合して一体化されている。さらに、前記した切欠開口２２は印判本体４の頭頂部をノックして下向きに繰出すスライドストロークよりも余裕を持たせて形成されていて、印判本体４がロック機構６によりロックされるまで確実に繰出すことができる。
【００１４】
スライドカバ３は、図５, ６に示されるように、上端に把持筒２の段部２１ａと係合する外鍔３０ａを形成した上部カバ筒３０と、該上部カバ筒３０の下部内面に形成した段部３０ｂと係合される係止片３３ａを形成した下部カバ筒３３とからなり、下部カバ筒３３は先方部を先細として後記する多孔性印字体７３の位置が上方から目視しやすいようにしてある。
【００１５】
また、前記した帽状ホルダ４ａは印判本体４の長さの約半分とされ、その下端には把持筒２の上部筒体２３の下端縁に当接する外鍔４ｃが形成されている。４ｄは図５に示されるように受筒部４ｂの略中間に形成される段部であり、該段部４ｄはスライドカバ３の下部カバ筒３３の上端縁と当接して印判本体４の下降を停止させるストッパとして作用し、また、前記外鍔４ｃの下端面は復帰ばね５の上端を当接させている。
【００１６】
復帰ばね５は、図５，６に示されるように、印判本体４の外鍔４ｃとスライドカバ３の外鍔３０ａ間に介在され、通常捺印時の後退スライドしたスライドカバ３を旧状にスライド復帰させるとともに、スライドカバ３より下方にスライドして繰出しされた印判本体４とのロック機構６によるロックを解除した際、印判本体４を旧状にスライド復帰させるものである。
【００１７】
ロック機構６は、図５に示されるように、印判本体４の外向きの突子６０ａを形成した弾性片６０と、該弾性片６０の突子６０ａを嵌合係止させる把持筒２の係止孔２ａとよりなるものであり、印判本体４をノックして下向きに繰出し、スライドカバ３の下部カバ筒３３の上端縁に印判本体４の段部４ｄが当接することにより繰出しは停止される。このとき、係止孔２ａに弾性片６０の突子６０ａが没入係止されて印判本体４が復帰ばね５の付勢力で旧状に復帰することを防止している。そして、ロックの解除は、例えば、係止孔２ａを覆っている後記するクリップ２ｂを持ち上げて係止孔２ａを露呈させたうえ、係止孔２ａからボールペンの先で突子６０ａを押せば、突子６０ａは係止孔２ａから抜け出るので、印判本体４は復帰ばね５の付勢力で旧状に復帰する。また、他のロック解除手段としては係止孔２ａを覆っているクリップ２ｂの先端に球状部分を設けて（図示せず）この球状部分で突子６０ａを押して突子６０ａを係止孔２ａから抜け出させることによって、印判本体４を復帰ばね５の付勢力で旧状に復帰させることもでき、このようにした場合はクリップ２ｂの弾性力を利用して容易にロックを解除できるので都合がよい。
【００１８】
印字カートリッジ７は、図５，６に示されるように、印判本体４を係止させる外鍔７０ａを先方部に形成した筒状体７０の上端にインキ補給用のキャップ７１を嵌着するとともに、筒状体７０の先方部内面に形成した拡径凹部７０ｂにインキ吸蔵体７２を嵌合係止し、該インキ吸蔵体７２と当接させた多孔性印字体７３を金属製留め具７４で筒状体７０の下端に取付けたものである。なお、クリップ２ｂは把持筒２の上部筒体２３に形成された携行用のものであって、図示例におけるクリップ２ｂはその先端隆起部が係止孔２ａを塞いで不用意に突子６０ａが押されて繰出し状態が解除されることがないような位置に設けてあるが、必ずしもクリップ２ｂに前記のような機能を発揮することはないので、クリップ２ｂの位置は携行用として便利な位置であれば特に限定されるものではない。
【００１９】
このように構成されたものは、通常捺印の際には、図７に示される状態で把持筒２を把持し、スライドカバ３を捺印面に押し当てれば、スライドカバ３は復帰ばね５の付勢力に抗して後退し、図８に示される状態となり印判本体４の印字カートリッジ７の下端にある印面は被捺印面に接触して通常の捺印が行なわれるが、多孔性印字体７３はその周囲がスライドカバ３により覆われているので、捺印位置を正確に位置決めすることができない。このため、多孔性印字体７３を正確に被捺印面に合わせる必要がある場合は、切欠開口２２を介して印判本体４のノック部を指で押し下げれば、図１，３，４，５，６に示されるように、印判本体４は下向きに繰出しされて多孔性印字体７３の印面はスライドカバ３の下端開口より下方に突出され、この繰出しによりロック機構６の係止孔２ａは突子６０ａに嵌合係止されて繰出し状態が維持される。
【００２０】
このように、スライドカバ３より多孔性印字体７３の印面が突出されることと、先方を先細としたスライドカバ３との相乗効果により、印面と被捺印面との位置を確認して捺印位置を正確に位置決めすることができるので、限定された位置に正確に捺印を行うことができる。
【００２１】
また、このような印判１を組み立てるには、先ず、把持筒２の下部筒体２１内に嵌挿させたスライドカバ３の外鍔３０ａを下部筒体２１の段部２１ａに係止させる。続いて、外鍔３０ａに復帰ばね６の下端と当接支持させたうえ、印判本体４を把持筒２内に嵌挿し、復帰ばね５の上端に帽状ホルダ４ａの外鍔４ｃを当接支持させ、続いて、下部筒体２１と上部筒体２３をその係止凸部２１ａと係止凹部２３ａをもって連結一体化する。その後、印字カートリッジ７をスライドカバ３の下端開口より挿し込んで印判本体４の受筒部４ｂに装着すれば簡単に組み立てが完了するので、簡単に組み立てることができる。  
【符号の説明】
【００２２】
１  印判
２  把持筒
2a  係止孔
2b  クリップ
21  下部筒体
21a 段部
21b 係止凸部
22  切欠開口
23  上部筒体
23a 係止用凹部
３  スライドカバ
30  上部カバ筒
30a 外鍔
30b 段部
33  下部カバ筒
33a 係止片
４  印判本体
4a  帽状ホルダ
4b  受筒部
4c  外鍔
4d  段部
５  復帰ばね
６  ロック機構
60  弾性片
60a 突子
７  印字カートリッジ
70  筒状体
70a 外鍔
70b 拡径凹部
71  鍔付キャップ
72  インキ吸蔵体
73  多孔性印字体
74  金属製留め具
【図１】
0005994310.tif 000002
【図２】
0005994310.tif 000003
【図３】
0005994310.tif 000004
【図４】
0005994310.tif 000005
【図５】
0005994310.tif 000006
【図６】
0005994310.tif 000007
【図７】
0005994310.tif 000008
【図８】
0005994310.tif 000009